(57)【要約】【課題】  外部からの光の内部反射を防止でき、しかも表示パネルからの表示光の色度のずれを補正することができる操作装置を提供する。【解決手段】  液晶表示パネル３０からの直線偏光（２）が、λ／４位相差フィルム１３で円偏光（３）に変換され、上側のλ／４位相差フィルム１５で直線偏光（４）とされ、偏光フィルム２１を透過する。外部から入る光は、上側のλ／４位相差フィルム１５で円偏光（８）とされ、下部導電層１４で反射されて円偏光の回転方向が逆向きになり、上側のλ／４位相差フィルム１５を経て直線偏光（１０）となる。この直線偏光（１０）の光軸が偏光フィルム２１の透過軸と直交し、外部に戻るのが防止される。偏光フィルム２１よりも外側に顔料または染料を含んだ色補正層２２が設けられ、顔料または染料を選択しその量を調整することで、カラー表示光が偏光フィルムの影響を受けてもその色度を補正できる。【選択図】図２
2011105221.tif 000002
【特許請求の範囲】
【請求項１】
透光性の基板上に、λ／４位相差層と、その上に位置する透光性の下部導電層と上部導電層とが対向する検知部と、その上に位置するλ／４位相差層と、その上に位置する偏光層とを有し、
前記基板から前記偏光層までを透過する表示光の色の補正を行う色補正層が、前記偏光層の上に配置されていることを特徴とする操作装置。
【請求項２】
前記色補正層は、顔料または染料を含む請求項１記載の操作装置。
【請求項３】
前記検知部は、前記下部導電層と前記上部導電層との間に介在する空隙部を有しており、外部からの操作力で、前記上部導電層と前記下部導電層とが接触して検知出力が得られる請求項１または２記載の操作装置。
【請求項４】
前記基板が、直線偏光の表示光を出力する表示パネルの上に設置され、表示光の偏光の向きと、前記偏光層の透過軸の向きとが一致している請求項１ないし３のいずれかに記載の操作装置。
【請求項５】
前記色補正層のさらに上に、外部から操作される透光性のカバー層が設けられており、前記色補正層が前記顔料または染料を含む粘着層または接着層であり、前記色補正層を挟んで、前記偏光層と前記カバー層とが接合されている請求項１ないし４のいずれかに記載の操作装置。
【請求項６】
前記カバー層は、その一部に着色層が設けられている請求項５記載の操作装置。
【発明の詳細な説明】
【技術分野】
【０００１】
本発明は、液晶パネルなどから発せられる表示光を透過できる操作装置に係り、特に、外光の反射の防止機能を高めることができ、且つ表示光が各層を透過することによる色の変化を補正することができる操作装置に関する。
【背景技術】
【０００２】
携帯用機器などの各種電子機器は、液晶表示パネルなどの表示パネルの表面に透光性の操作パネルが設置されている。操作パネルは、所定の抵抗値を有する透光性の導電層が空隙を空けて対向し、押圧操作力で導電層どうしが接触したときにその接触位置を抵抗の変化によって検知できるタッチパネルである。あるいは、互いに交叉する向きの透光性の電極が対向し、指などの導電体が接近したときに、電極と指との間に形成される静電容量を検知して、操作位置に対応した信号を生成できる静電容量型のタッチパネルである。【０００３】
この種の操作パネルは、外部の光が前記操作パネルの内部の層の境界部などで反射されやすく、液晶パネルの表示内容が見にくくなる問題がある。特に、抵抗式のタッチパネルのように内部に空隙が介在していると、空隙と電極との境界部において光が反射しやすく、外部の光が強いときや、使用者の背部に光源が存在しているときなどに表示内容が非常に見にくくなる。【０００４】
以下の特許文献１と特許文献２に記載されているタッチパネルは、層構造の内部にλ／４位相差フィルムと偏光フィルムが設けられ、外部からの光を直線偏光と円偏光に変換することで、タッチパネルの内部で反射される外光が再びタッチパネルを透過して戻るのを防止できるようにしている。【０００５】
しかし、偏光フィルムは、ＰＶＡ（ポリビニルアルコール）にヨウ素や染料などを吸着させ一方向へ延伸させて形成するものであるため、それ自体が黄色がかった色相を有する。そのため、表示パネルから発せられる表示光が、偏光フィルムを透過することで、色相と彩度で表される色度が変化し、表示品質が低下しやすくなる。【０００６】
以下の特許文献３に記載されたタッチパネルは、λ／４波長板と偏光板が設けられて、外部からの光の反射を防止できるようにしているとともに、層構造の内部に、屈折率の異なる３層以上の多層膜が設けられ、この多層膜によって、偏光板の黄色みが液晶パネルの表示光に与える影響を相殺しようとしている。
【先行技術文献】
【特許文献】
【０００７】
【特許文献１】特開２０００−１０５６６９号公報
【特許文献２】特開２００１−１４２６４４号公報
【特許文献３】特開２００１−３２４７０７号公報
【発明の概要】
【発明が解決しようとする課題】
【０００８】
特許文献３に記載されているタッチパネルは、内部に屈折率の異なる３層以上の多層膜を設けることにより、色温度のピーク波長を５５０ｎｍ以下に設定し、タッチパネルのピーク波長を青みがかる方向へ調整することで、偏光板の黄ばみの影響を相殺しようというものである。【０００９】
しかし、多層膜は、各膜の屈性率と膜厚を厳格に管理して成膜することが必要であり、製造工程が複雑でコストの高いものとなる。また、多層膜の色温度のピーク波長を、実際の偏光板の黄ばみを相殺できる範囲に設定しなくてならないが、このような設定は難しく、偏光板の黄ばみを効率よく打ち消すのは困難である。また、多層膜では、色相の調整ができるとしても彩度などの調整は実質的に不可能である。さらに、タッチパネルのピーク波長を青みがかる方向へ調整すると、５５０ｎｍよりも大きい波長の光の透過率が低下することになり、液晶パネルの表示内容の輝度や明度が低下しやすくなり、表示品質が低下しやすくなる。【００１０】
本発明は上記従来の課題を解決するものであり、例えば顔料または染料を含んだ色補正層を使用することで、偏光層などに影響される表示色の変化を、その色相および彩度の双方において調整することが可能な、操作装置を提供することを目的としている。【００１１】
また、本発明は、色補正層を用いた場合に、色補正層の内部を透過する光が乱反射しまたは拡散しても、その影響を受けにくい構造の操作装置を提供することを目的としている。
【課題を解決するための手段】
【００１２】
本発明は、透光性の基板上に、λ／４位相差層と、その上に位置する透光性の下部導電層と上部導電層とが対向する検知部と、その上に位置するλ／４位相差層と、その上に位置する偏光層とを有し、
前記基板から前記偏光層までを透過する表示光の色の補正を行う色補正層が、前記偏光層の上に配置されていることを特徴とするものである。
例えば、前記色補正層は、顔料または染料を含むものである。【００１３】
本発明の操作装置は、内部にλ／４位相差層と偏光層とを有しているため、直線偏光と円偏光を利用して、外部からの入射光の反射を防止できるようになる。また偏光層などの存在による色の変化を、色補正層で補正しているため、色相および彩度の双方を調整して色度の補正を行うことができる。【００１４】
色補正層は顔料または染料を含むためにその内部で光が乱反射しまたは拡散しやすく、直線偏光や円偏光に影響を与えやすい。そこで、色補正層を、上部の偏光層の上方に配置することで色補正層の乱反射または拡散が、表示光の直線偏光と円偏光に影響を与えることがなく、また外部からの光の反射防止機能にも悪影響を与えないようにしている。【００１５】
本発明は、前記検知部は、前記下部導電層と前記上部導電層との間に介在する空隙部を有しており、外部からの操作力で、前記上部導電層と前記下部導電層とが接触して検知出力が得られるものにおいて特に有効である。【００１６】
内部に空隙を有する検知部は、外部からの光を反射しやすいが、λ／４位相差層と偏光層とを設けることで、空隙と下部導電層との境界部において外部からの光が反射しても、反射光が戻るのを防止できるようになる。ただし、本発明は、静電容量型パネルなど内部に空隙を有しない層構造であっても実施可能である。この場合もパネルの内部の層境界による光の反射を防止しやすくなる。また、検知部は、下部導電層と上部導電層とが接触してＯＮ−ＯＦＦが切換えられるスイッチパネルであってもよい。【００１７】
本発明は、前記基板が、直線偏光の表示光を出力する表示パネルの上に設置され、表示光の偏光の向きと、前記偏光層の透過軸の向きとが一致しているものとして構成できる。【００１８】
上記のように構成することで、液晶パネルなどのように直線偏光の表示光が発せられる場合に、その表示光が操作装置の各層を透過する際の光の透過効率の低下を防止しやすくなる。【００１９】
本発明は、前記色補正層のさらに上に、外部から操作される透光性のカバー層が設けられており、前記色補正層が前記顔料または染料を含む粘着層または接着層であり、前記色補正層を挟んで、前記偏光層と前記カバー層とが接合されているものが好ましい。【００２０】
色補正層を粘着層または接着層と兼用することで、操作装置の層構造を少なくでき、薄型化を実現しやすい。【００２１】
また、前記カバー層は、その一部に着色層が設けられているものであってもよい。この場合に、色補正層はカバー層の下に位置し、カバー層に至る表示光は既に色補正されているため、カバー層の着色層の色デザインは、色補正と無関係に標準色として決めることができるようになる。
【発明の効果】
【００２２】
本発明の操作装置は、直線偏光と円偏光を利用することで、外部の光の反射を防止しやすい。また、偏光層などの存在による表示光の色度の変化を色相と彩度の双方の要素において補正することが可能である。しかも、色補正層の内部の乱反射による影響も抑制できるようになる。
【図面の簡単な説明】
【００２３】
【図１】本発明の実施の形態の操作装置が搭載された携帯機器の分解斜視図、
【図２】本発明の実施の形態の操作装置を示す断面図、
【図３】比較例１の操作装置を示す断面図、
【図４】比較例２の操作装置を示す断面図、
【図５】検知部の動作説明図、
【発明を実施するための形態】
【００２４】
図１に示す携帯機器１は、携帯電話、携帯用の情報処理装置、携帯用の記憶装置、携帯用のゲーム装置などとして使用される。
【００２５】
携帯機器１は合成樹脂製のケース２を有している。ケース２は上方が開放した凹部３を有しており、凹部３の内部に電子回路を実装した回路基板が収納されている。また凹部３の内部に液晶表示パネル３０が収納されている。凹部３の開口部は、本発明の操作装置の実施の形態である操作パネル１０で塞がれている。
【００２６】
図２の断面図では、液晶表示パネル３０と操作パネル１０とが上下に離れているように示されているが、ケース２の内部では、液晶表示パネル３０と操作パネル１０とが密着している。
【００２７】
図２に示すように、液晶表示パネル３０は、下部に導光基板３１を有している。導光基板３１は透明な透光性樹脂で形成されている。透光性樹脂は、ＰＭＭＡ（メタクリル酸メチル樹脂）、ＰＣ（ポリカーボネート）、ＣＯＰ（環状オレフィンコポリマー）などである。ケース２の内部にＬＥＤなどの光源が設けられ、導光基板３１と光源とでバックライト装置が構成されている。光源から発せられた光が導光基板３１の内部に導かれ、導光基板３１の底部などで乱反射されて上方に向けられる。
【００２８】
本明細書での透光性とは、透明または半透明など光を透過可能な状態を意味しており、全光線透過率が５０％以上で好ましくは８０％以上のものを意味している。
【００２９】
導光基板３１の上に偏光フィルム３２が設置され、その上に下部電極基板３３が固定されている。導光基板３１と偏光フィルム３２は透光性の粘着層を介して固定され、偏光フィルム３２と下部電極基板３３も透光性の粘着層を介して固定されている。下部電極基板３３の上向きの表面に、下部電極３４と配向膜３５が設けられている。さらに上方に上部電極基板３６が対向し、上部電極基板３６の下向きの表面に、上部電極３７と配向膜３８が設けられている。下部電極基板３３と上部電極基板３６との間にスペーサが介在し、下部電極基板３３と上部電極基板３６とが一定の間隔で対向している。そして、下部電極基板３３と上部電極基板３６との間に液晶層３９が介在している。
【００３０】
下部電極基板３３と上部電極基板３６は共に透光性であり、ガラス板または透明な合成樹脂フィルムで形成されている。下部電極３４と上部電極３７はＩＴＯなどで形成された透明電極層である。下部電極３４と上部電極３７は、共に平行に延び、一方がＸ方向に延び他方がＹ方向に延びている。
【００３１】
上部電極基板３６の上に偏光フィルム４１が設けられている。上部電極基板３６と偏光フィルム４１は、透明な粘着層を介して固定されている。下側の偏光フィルム３２の吸収軸および透過軸の向きと、上側の偏光フィルム４１の吸収軸および透過軸の向きは、液晶層３６のツイスト角に応じて決められている。
【００３２】
上部電極基板３６はカラーフィルター基板であり、下部電極３４と上部電極３７の交叉部の画素への通電を制御することで、液晶表示パネル３０でカラー表示が行われる。バックライト装置の導光基板３１から発せられる光が、液晶表示パネル３０を透過することで、カラー表示で且つ直線偏光の表示光が上向きに発せられる。
【００３３】
操作パネル１０は支持基板１１を有している。支持基板１１は、ＰＭＭＡ（メタクリル酸メチル樹脂）、ＰＣ（ポリカーボネート）、ＣＯＰ（環状オレフィンコポリマー）などの透光性樹脂で形成されている。あるいは、支持基板１１はガラス基板である。支持基板１１の上に透光性の粘着層１２を介してλ／４位相差層であるλ／４位相差フィルム１３が接合されており、λ／４位相差フィルム１３の上向きの表面に、ＩＴＯなどの透光性の下部導電層１４が形成されている。その上方にλ／４位相差フィルム１５が設けられ、λ／４位相差フィルム１５の下向きの表面に、ＩＴＯなどの透光性の上部導電層１６が形成されている。
【００３４】
下側のλ／４位相差フィルム１３と上側のλ／４位相差フィルム１５は周縁部に介在する接着剤層１７をスペーサとして上下に間隔を空けて対向しており、下部導電層１４と上部導電層１６との間に空隙１８が形成されている。
【００３５】
λ／４位相差フィルムは、入射した光が、複屈折によって、直交する２つの直線偏光成分に分離されるとともに、２つの直線偏光成分に１／４波長の位相ずれが与えられる。λ／４位相差フィルムの光軸を、偏光フィルムの透過軸に対して４５度または１３５度の角度で傾けて配置すると、偏光フィルムを透過した直線偏光が、λ／４位相差フィルムを通過して円偏光に変換され、さらにこの円偏光がλ／４位相差フィルムを通過することで、直線偏光に戻される。
【００３６】
図２に示すように、上側のλ／４位相差フィルム１５の上側の表面には、透光性の粘着層１９を介して偏光層である偏光フィルム２１が重ねられている。操作パネル１０に設けられた偏光フィルム２１、および液晶表示パネル３０に設けられた前記偏光フィルム３２，４１は、ヨウ素や染料を吸着させたポリビニルアルコール（ＰＶＡ）樹脂のフィルムを一方向へ延伸し、そのフィルムの両面をトリアセチルアセテート（ＴＡＣ）の保護フィルムで挟むことで構成されている。この種の偏光フィルム２１，３２，４１は、透光性ではあるが色相がやや黄みがかっている。
【００３７】
操作パネル１０に設けられた偏光フィルム２１と、液晶表示パネル３０の上側に設けられた偏光フィルム４１は、吸収軸と透過軸の向きが同じである。
【００３８】
偏光フィルム２１の表面には、色補正層２２を介してカバー層であるカバーシート２３が固定されている。色補正層２２は、アクリル系の粘着剤を主体とした粘着層であり、色補正層２２によって偏光フィルム２１とカバーシート２３とが接合されている。色補正層を粘着層とすることで、操作パネル１０を構成する層の数を増やすことなく、色補正層を付加することができる。
【００３９】
本明細書での粘着層および粘着剤とは、自らのタック力によって２つのフィルムを固着できるものであり、液体から固体にその状態が硬化する接着剤または接着層と区別される。ただし、前記色補正層２２および粘着層１２，１９などの各種粘着層を前記接着層に置き換えることも可能である。
【００４０】
色補正層２２は顔料または染料を含有しており、色補正層２２によって、バックライト装置の導光基板３１から発せられて、液晶表示パネル３０を透過し、操作パネル１０の支持基板１１から偏光フィルム２１までを透過した表示光の色度のずれが補正される。
【００４１】
色補正層２２による色度のずれ補正は、顔料または染料の種類の選択とその添加量の選択によって調整される。
【００４２】
その調整方法の一例としては、導光基板３１を有するバックライトの代わりに、標準光源を用い、標準光を、液晶表示パネル３０および操作パネル１０の支持基板１１から偏光フィルム２１まで透過させ、透過した光の色度を色度計で測定する。測定された色度と、標準光源の標準色の色度を、ＸＹＺ表色系の色度図に当てはめる。色度図上で、測定された色度と標準色の色度との差を補正するための色相を求め、さらに標準色に補正するための彩度を求める。求められた補正用の色相に応じて顔料または染料の色相を選択し、これを色補正層２２に添加する。また色補正層２２に添加する顔料または染料の量を変化させることにより、彩度を含めた色度の補正を行う。
【００４３】
このように、色補正層２２を顔料または染料を含んだ層として構成することで、偏光フィルムおよび他の各層を通過した表示光の色度のずれを、色相と彩度の双方において厳密に補正することが可能になる。
【００４４】
カバーシート２３は、ポリエチレンテレフタレート（ＰＥＴ）などの透明な樹脂シートで形成されている。図１に示すように、操作パネル１０は中央の四角い領域が表示領域１０ａであり、その周りは着色された枠部１０ｂである。図２に示すように、カバーシート２３の下向きの表面に、前記枠部１０ｂに対応する着色層２４が形成されている。着色層２４は、印刷または塗装あるいはスパッタリングなどの手段で形成されている。操作パネル１０の表示領域１０ａを通して液晶表示パネル３０の表示内容を目視することができる。一方、枠部１０ｂは着色層２４の色彩により装飾されている。
【００４５】
図２において（Ａ）は、導光基板３１から発せられ、液晶表示パネル３０と操作パネル１０を透過するカラー表示光の経路を示し、（Ｂ）は外部から操作パネル１０に入る外光の経路を示している。
【００４６】
カラー表示光の経路（Ａ）では、導光基板３１から発せられた照明光（１）が、液晶表示パネル３０の液晶層３９とカラーフィルター基板である上部電極基板３６を通過することでカラー表示光となる。液晶表示パネル３０を出たカラー表示光は、２つの偏光フィルム３２，４１を透過した直線偏光（２）である。
【００４７】
操作パネル１０では、直線偏光（２）が下側のλ／４位相差フィルム１３を通過することで円偏光（３）となり、さらに上側のλ／４位相差フィルム１５を通過して直線偏光（４）に戻る。液晶表示パネル３０の上側の偏光フィルム４１と、操作パネル１０の偏光フィルム２１は、透過軸の向きが同じであるため、カラー表示光は損失の少ない直線偏光（５）として上方へ与えられる。
【００４８】
外部からの光の経路（Ｂ）では、外光（６）が操作パネル１０に入射すると、偏光フィルム２１を経て直線偏光（７）となり、上側のλ／４位相差フィルム１５を透過して円偏光（８）となる。上側のλ／４位相差フィルム１５と下側のλ／４位相差フィルム１３の間のいずれかの層で円偏光（７）が反射されると、逆回りの円偏光（９）となって戻る。この円偏光（９）は、上側のλ／４位相差フィルム１５を透過して直線偏光（１０）となるが、この直線偏光（１０）の光軸は、偏光フィルム２１の透過軸と９０度相違することになり、反射光は偏光フィルム２１に吸収されて外部に戻ることがなくなる。
【００４９】
図２に示す操作パネル１０は、外光が空隙１８と下部導電層１４との境界部で反射されやすいが、この反射光が偏光フィルム２１で吸収されるために、外部の光の強度や操作者の背部の景色などに左右されることなく、液晶表示パネル３０のカラー表示光を目視しやすくなる。
【００５０】
経路（Ａ）を辿るカラー表示光は、３つの偏光フィルム３２，４１，２１を透過することで黄みがかり、さらに他の層を透過することで、色度が本来のカラー表示光からシフトする。前述のように、この色度のずれは、色補正層２２で補正される。
【００５１】
色補正層２２は粘着剤の内部に顔料または染料が含有されたものであり、顔料または染料の種別の選択とその添加量を調整することで、カラー表示光の色相と彩度の補正が可能である。その反面、色補正層２２を透過する光は、その内部で乱反射されやすくまたは拡散しやすい。液晶表示パネル３０の偏光フィルム４１と操作パネル１０の偏光フィルム２１との間を透過するカラー表示光は直線偏光または円偏光である。したがって、仮に、色補正層２２が、偏光フィルム４１と偏光フィルム２１との間にあると、光の乱反射や拡散によって偏光が乱される。カラー表示光が、偏光フィルム２１に至る前に偏光状態が乱されると、偏光フィルム２１を透過する光量が減少し、カラー表示光の明度が低下し、表示コントラストが低下する。そこで、図２に示す操作パネル１０では、色補正層２２を、偏光フィルム２１よりも上側に配置することで、偏光フィルム４１と偏光フィルム２１との間の偏光が、色補正層による乱反射や拡散の影響を受けないようにしている。
【００５２】
カラー表示光は、色補正層２２を透過した時点で色補正が終わっているため、カバーシート２３を透過するカラー表示光は、色度のずれの無い表示品質の優れた光となっている。よって、操作パネル１０の表示領域１０ａを経て、高品質でさらに反射光による影響の少ないカラー表示を行うことができる。また、枠部１０ｂでは、着色層２４で表される色の装飾を、色度のずれなく表現することが可能である。
【００５３】
ただし、本発明では、カバーシート２３に顔料または染料を混入させて色補正層として機能させることも可能である。この場合、枠部１０ｂの装飾色が顔料または染料による色と混合するため、枠部１０ｂを構成する着色層２４の色度を、顔料または染料による色度と相殺できるように設定することが必要になる。
【００５４】
検知部を構成する下部導電層１４と上部導電層１６は所定の電気抵抗を有している。図５に示すように、下部導電層１４のＸ方向の両端に、下部導電層１４よりも比抵抗が小さい銀ペーストなどで形成されたＸ電極層１４ａ，１４ｂが設けられている。上部電極層１６のＹ方向の両端にも、上部電極層１６よりも比抵抗が小さいＹ電極層１６ａ，１６ｂが設けられている。
【００５５】
操作パネル１０の動作中は、Ｘ電極層１４ａとＸ電極層１４ｂの間に電圧が印加され、それとは別のタイミングでＹ電極層１６ａとＹ電極層１６ｂの間に電圧が印加される。上側のλ／４位相差フィルム１５からカバーシート２３までは可撓性であり、カバーシート２３の表面が指などで押されると、上部導電層１６と下部導電層１４とが部分的に接触する。図５ではその接触点をＰで示している。このとき、下部導電層１４をＸ方向に分割した抵抗値に対応する電圧がＹ電極層１６ａ，１６ｂから検出され、上部導電層１６をＹ方向に分割した抵抗値に対応する電圧がＸ電極層１４ａ，１４ｂから検出される。これにより、Ｐ点のＸ−Ｙ座標上の位置が検知される。
【００５６】
図３は、比較例１の操作パネル１１０を示し、図４は、比較例２の操作パネル２１０を示している。図３と図４に示されている液晶表示パネル３０の構造は、図２に示す液晶表示パネル３０と同じである。比較例１の操作パネル１１０と比較例２の操作パネル２１０のうち、図２に示す操作パネル１０と同じ構成部分は同じ符号を付して詳しい説明を省略する。
【００５７】
図３に示す比較例１の操作パネル１１０は、偏光フィルム２１とカバーシート２３との間の粘着層１２２が、顔料または染料を含んでおらず、色補正層の機能を有していない。その代わりに操作パネル１１０の支持基板１１１に顔料または染料が混入され、支持基板１１１が色補正層としての機能を有している。
【００５８】
図４に示す比較例２の操作パネル２１０は、操作パネル１１０と同様に、偏光フィルム２１とカバーシート２３との間の粘着層１２２が、顔料または染料を含んでおらず、色補正層の機能を有していない。また支持基板１１も顔料または染料を含んでおらず、色補正層として機能していない。その代わりに、上側のλ／４位相差フィルム１５と偏光フィルム２１との間の粘着層２１９が顔料または染料を含んでおり、この粘着層２１９が色補正層として機能している。
【００５９】
以下の表１には、図２に示す実施の形態の操作パネル１０と、図３に示す比較例１の操作パネル１１０と、図４に示す比較例２の操作パネル２１０の機能を比較した結果を示している。
【００６０】
操作パネル１０と比較例の操作パネル１１０，２１０は、いずれも顔料または染料を含んだ色補正層を使用している。この色補正層は、顔料または染料の種類とその量を調整することで、基本的に色度の調整が可能である。
【００６１】
比較例１の操作パネル１１０は、色補正層として機能する支持基板１１１が、偏光フィルム４１とλ／４位相差フィルム１３との間に位置している。そのため、偏光フィルム４１によって直線偏光とされたカラー表示光の偏光状態が支持基板１１１の内部で乱反射されまたは拡散される。そのため、λ／４位相差フィルム１３を経た円偏光および上側のλ／４位相差フィルム１５を通過した直線偏光に乱れが生じる。そのため、上側の偏光フィルム２１を透過する光量が低下し、カラー表示のコントラストが低下する。
【００６２】
比較例２の操作パネル２１０は、色補正層として機能する粘着層２１９が、上側のλ／４位相差フィルム１５と偏光フィルム２１との間に位置している。そのため、上側のλ／４位相差フィルム１５を透過したカラー表示光の直線偏光が乱反射されまたは拡散されて、上側の偏光フィルム２１を透過する光量が低下し、カラー表示のコントラストが低下する。
【００６３】
さらに、比較例２の操作パネル２１０は、カバーシート２３を経て操作パネル２１０に入射した外部からの光が、偏光フィルム２１を通過して直線偏光になった後に、顔料または染料を含む粘着層２１９の内部で乱反射されまたは拡散される。さらに、空隙１８と下部導電層１４との境界部で反射された円偏光が、λ／４位相差フィルム１５を透過して直線偏光になった後にも、粘着層２１９内で乱反射されまたは拡散される。したがって反射光の直線偏光に、偏光フィルム２１の透過軸に向く成分が含まれるようになり、外光の反射防止効果が低減する。
【００６４】
さらに、図３に示す操作パネル１１０は、支持基板１１１に顔料または染料が含まれているため、図２に示すような、粘着層に顔料または染料を含ませた色補正層２２に比べて製造コストが高くなる。
以下の表１では、比較例１と比較例２のそれぞれの欠点項目を「×」印で示している。
【００６５】
【表１】
2011105221.tif 000003
【００６６】
なお、前記操作パネル１０では、検知部として、下部導電層１４と上部導電層１６とが空隙１８を介して対向する抵抗検知式のタッチパネルが構成されているが、検知部は、上から押されたときに上部導電層１６と下部導電層１４とが接触するＯＮ−ＯＦＦスイッチであり、このＯＮ−ＯＦＦスイッチが複数配列しているものであってもよい。あるいは検知部が、静電容量方式の座標検知装置であってもよい。
【符号の説明】
【００６７】
１  携帯機器
２  ケース
３  凹部
１０  操作パネル
１０ａ  表示領域
１０ｂ  枠部
１１  支持基板
１２  粘着層
１３，１５  λ／４位相差フィルム
１４  下部導電層
１６  上部導電層
１８  空隙
２１  偏光フィルム
２２  色補正層
２３  カバーシート
２４  着色層
３０  液晶表示パネル
４１  偏光フィルム
【図１】
2011105221.tif 000004
【図２】
2011105221.tif 000005
【図３】
2011105221.tif 000006
【図４】
2011105221.tif 000007
【図５】
2011105221.tif 000008
【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
透光性の基板上に、λ／４位相差層と、その上に位置する透光性の下部導電層と上部導電層とが対向する検知部と、その上に位置するλ／４位相差層と、その上に位置する偏光層と、その上に位置する色補正層と、その上に位置するカバー層とが積層され、
前記カバー層の下面に着色層が厚さを有して積層された枠部と前記枠部で囲まれた透光性の表示領域とが設けられており、
前記色補正層は、顔料または染料を有する粘着層または接着層であり、前記枠部と前記表示領域の双方で、前記偏光層と前記カバー層とが前記色補正層を介して接合されており、
前記枠部で囲まれた前記表示領域で、前記色補正層が前記偏光層の上面と前記カバー層の下面に密着して充填されて、前記基板から前記偏光層までを透過する表示光の色が前記色補正層で補正されることを特徴とする操作装置。
【請求項２】
（削除）
【請求項３】
前記検知部は、前記下部導電層と前記上部導電層との間に介在する空隙部を有しており、外部からの操作力で、前記上部導電層と前記下部導電層とが接触して検知出力が得られる請求項１記載の操作装置。
【請求項４】
前記基板が、直線偏光の表示光を出力する表示パネルの上に設置され、表示光の偏光の向きと、前記偏光層の透過軸の向きとが一致している請求項１または３記載の操作装置。
【請求項５】
（削除）
【請求項６】
（削除）
【国際調査報告】
2011105221.tif 000009
2011105221.tif 000010